(57)【要約】【課題】この発明の目的は、車椅子に座った状態やベッドに寝た状態でも安全に下肢の運動ができる運動器を提供することである。【解決手段】課題を解決するため、この発明の電動足踏み運動器１は、モータ２と、モータ２によって回転させられる回転軸３と、回転軸３を中心に回転する当接部材５と、同一の支持軸７によって揺動可能に支持された２基の足載せ部材８とを有し、前記当接部材５が前記足載せ部材８に当接しながら回転することにより足載せ部材８を揺動させることを特徴とする。【選択図】図１
2005110892.tif 000002
【特許請求の範囲】
【請求項１】
モータと、モータによって回転させられる回転軸と、回転軸を中心に回転する当接部材と、同一の支持軸によって揺動可能に支持された２基の足載せ部材とを有し、前記当接部材が前記足載せ部材に当接しながら回転することにより足載せ部材を揺動させることを特徴とする電動足踏み運動器。
【請求項２】
前記当接部材が２つあり、回転軸に対して相互に１８０度ずれた位置に設けられている請求項１に記載の電動足踏み運動器。
【請求項３】
前記２基の足載せ部材が、相互に半周期ずれて揺動するように連結されている請求項１に記載の電動足踏み運動器。
【請求項４】
前記足載せ部材に足を固定する手段が設けられている請求項１ないし請求項３のいずれかに記載の電動足踏み運動器。
【発明の詳細な説明】
【技術分野】
【０００１】
この発明は、足踏み運動を他動的に行う運動器に関するものである。
【背景技術】
【０００２】
健康増進を目的として室内でも運動できるようにランニングマシンやステッパーと呼ばれる足踏み運動器、電動サイクル等の運動器が市販されている。特に、足踏み運動器は、特許文献１、特許文献２等で提案されており、多くの商品が流通している。また、電動サイクル（たとえば特許文献３）は、他動的に下肢を動かすことができる運動器であり、下肢の運動能力が低下した人々のための健康増進手段として注目に値する。
【特許文献１】特開平６−９１０１８号
【特許文献２】特開平１１−２６２５４３号
【特許文献３】特開平７−３０８４０３号
【発明の開示】
【発明が解決しようとする課題】
【０００３】
ランニングマシン等従来の運動器のほとんどが、十分な運動能力を有する健常者の健康増進用のものであり、下肢の運動能力が低下した人々が利用できるものではない。足踏み運動器も立位での運動を前提に作られており、片麻痺のある人や車椅子生活者等が、腰掛けた状態で、あるいは寝た状態で使用することはできない。
【０００４】
電動サイクルは、腰掛けた状態で使用することができる運動器ではあるが、使用中にペダルから足が外れる惧れがあり、高齢者や片麻痺者が安全に使用できるようなものではない。
【０００５】
高齢者社会の現在、高齢者の「寝たきり予防」を目的として日中はできるだけ座位にさせることが推奨された結果、一日の大半を車椅子で過ごす「座りきり」状態の高齢者が増加している。しかし、長時間の座位は下肢静脈血のうっ滞による下肢浮腫の原因であるばかりでなく、「エコノミークラス症候群」で知られる深部静脈血栓症の原因にもなりうる。この発明の目的は、車椅子に座った状態やベッドに寝た状態でも安全に下肢の運動ができる運動器を提供することである。
【課題を解決するための手段】
【０００６】
上述の課題を解決するため、この発明の電動足踏み運動器は、モータと、モータによって回転させられる回転軸と、回転軸を中心に回転する当接部材と、同一の支持軸によって揺動可能に支持された２基の足載せ部材とを有し、前記当接部材が前記足載せ部材に当接しながら回転することにより足載せ部材を揺動させることを特徴とする。前記当接部材が２つあり、回転軸に対して相互に１８０度ずれた位置に設けられていてもよい。また、前記２基の足載せ部材が、相互に半周期ずれて揺動するように連結されていてもよい。さらに、前記足載せ部材に足を固定する手段を設けてもよい。
【発明の効果】
【０００７】
この発明の電動足踏み運動器は、車椅子に座った状態やベッドに寝た状態でも安全に下肢の運動ができるという効果を有する。
【発明を実施するための最良の形態】
【０００８】
この発明を実施するための最良の形態について、図面に基づいて説明する。図１はこの発明に係る電動足踏み運動器の側面図で、図２は同正面図である。
【０００９】
電動足踏み運動器１はモータ２を備えており、回転軸３を回転させる。回転軸３には、アーム４が２本設けられている。このアーム４は回転軸２に対して相互に１８０度ずれた位置に設けられている。それぞれのアーム４の先端部には棒状の当接部材５が外側に突き出すように設けられている。従って、回転軸３の回転によって当接部材５は回転軸３を中心とした円運動をする。
【００１０】
この電動足踏み運動器１の基台６には、回転軸３と平行な支持軸７が設けられており、この支持軸７を中心として揺動可能に２基の足載せ部材８が取付けられている。この足載せ部材８は、使用者の足がのせられるだけの幅と長さを有し、一端部を支持軸７に取付けられ、片持ち状に支持されている。足載せ部材８には、ブーツ状の足固定部材９が設けられており、足首固定ベルト１０と下肢固定ベルト１１により使用者の足を足載せ部材８に固定できるようになっていて、使用中に足が外れる危険をなくしている。
【００１１】
つぎに、この電動足踏み運動器１の作用について説明する。使用者は腰掛けた状態で左右の足を足固定部材９にのせ、足首固定ベルト１０と下肢固定ベルト１１を装着する。この電動足踏み運動器１は簡易な構成であって小型であるので、車椅子の車輪の間に置くこともでき、車椅子に座った状態で使用できる。それ以外にも、ベットに腰掛けたり、通常のいすに座って使用してもよく、あるいは専用のいすを設けてそのいすの座って使用してもよい。
【００１２】
足載せ部材８に足が固定されたら、モータ２を作動させる。駆動軸３が図１において反時計方向に回転し、この駆動軸３を中心とする円周を軌道として当接部材５が円運動を行う。当接部材５は足載せ部材８の下面に当接するように設けられている。図１において手前側の当接部材５ａは上昇していて手前側の足載せ部材８ａを持ち上げる作用をしている。手前側の足載せ部材８ａは、支持軸７を中心に図１で反時計回りに回転し、足をのせた部分が上昇する。このとき、他の当接部材５ｂは下降する。足載せ部材８ｂは足によって下向きの荷重を受けているので、当接部材５ｂと当接した状態を保ちながら下降していく。
【００１３】
手前の当接部材５が上死点に達したとき、すなわちアーム４と足載せ部材８が直角になったときに、足載せ部材８は最も高く上がり、その後は下降し始める。このようにして、足載せ部材８は支持軸７を中心とした揺動を繰り返す。２つの当接部材５ａ，ｂは相互に１８０度ずらして設けられており、２本の足載せ部材８ａ，ｂも半周期ずれて揺動する。これによって、左右の足は歩いているときと同じように交互に足踏みすることになる。
【００１４】
なお、左右の足載せ部材５ａ，ｂを相互に連動するように連結してもよい。このような連結はステッパーとよばれる従来の足踏み運動器に使用されていて周知であるが、その連結機構を利用してもよい。左右の足載せ部材５ａ，ｂを連結した場合には、どちらか一方の左右の足載せ部材を１基の当接部材で作動させることができる。この場合、後述する例のように、足載せ部材に補助板を設けて、当接部材が下がるときに足載せ部材を引っ張るようにすることが好ましい。
【００１５】
以上、座った状態で他動的に足踏み運動を行うことができる。この運動により、下肢の筋肉が収縮と弛緩を繰り返すので、筋肉ポンプの働きによって下肢の血行を促進することができる。また、足関節、膝関節、股関節を動かすことになるので、関節拘縮を予防することができる。
【００１６】
次に、この発明の別の実施形態について説明する。図３は電動足踏み運動器の別の例を示す側面図である。図４は足載せ部材の詳細を示す拡大斜視図である。この例は、寝た状態で使用するための適用例である。なお、図１、図２に示す例と共通する事項については説明を省略する。
【００１７】
図３に示す例では、電動足踏み運動器１はベッドの柵に固定されている。ベッドの足側の端部にモータ２と、このモータ２によって回転させられる回転軸３が設けられている。この回転軸３に対して直角に２本のアーム４が１８０度ずれた状態で設けられている。このアーム４の先端には当接部材５が設けられている。また、支持軸７とこの支持軸７を中心に揺動する足載せ部材８が設けられている。
【００１８】
この例においては足載せ部材８は側面からみてＴ型の形状である。第１の板材１２は一端を支持軸７に接続された細長い板材であり、この第１の板材１２の途中から第２の板材１３がほぼ垂直に設けられている。第２の板材１３には、ブーツ状の足固定部材９が設けられている。そして、第１の板材１２の裏面には補助板１４が設けられており、当接部材５は第１の板材１２と補助板１４の間に挟み込まれた状態で当接するように設けられている。補助板１４があることにより、当接部材５は第１の板材１２を押し下げるだけでなく、引っ張りあげる作用も行う。
【００１９】
使用者はベッドに寝た状態で足を足固定部材９に固定する。固定が完了したらモータ２を作動させる。回転軸３の回転により当接部材５は回転軸を中心とした円運動を行う。この当接部材５によって足載せ部材８は支持軸７を中心とした揺動をする。このようにして、他動的な足踏み運動がベッド上に寝た状態で行うことができる。したがって、立位だけでなく座位をとることも困難な者でも足踏み運動を行うことができる。
【産業上の利用可能性】
【００２０】
この発明の電動足踏み運動器は腰掛けた状態や寝た状態でも使用することができ、しかも簡易な構成であるので、リハビリテーション用の運動器として適用でき、また車椅子使用者等の健康増進用の運動器としても適用できる。
【図面の簡単な説明】
【００２１】
【図１】電動足踏み運動器を示す側面図である。
【図２】同正面図である。
【図３】電動足踏み運動器の別の実施形態を示す側面図である。
【図４】足載せ部材の詳細を示す拡大斜視図である。
【符号の説明】
【００２２】
１．電動足踏み運動器
２．モータ
３．回転軸
４．アーム
５．当接部材
６．基台
７．支持軸
８．足載せ部材
９．足固定部材
１０．足首固定ベルト
１１．下肢固定ベルト
１２．第１の板材
１３．第２の板材
１４．補助板
【図１】
2005110892.tif 000003
【図２】
2005110892.tif 000004
【図３】
2005110892.tif 000005
【図４】
2005110892.tif 000006